(57)【要約】一連のデータ列を複数の単位データに分割して伝送する送信装置及び受信装置を備える伝送システムであって、送信装置及び受信装置は、互いに同期したクロック信号を出力する同期部を備え、さらに送信装置は、自装置の同期部から出力されたクロック信号に基づいて時分割多重化信号の周波数を変更する周波数変更部と、周波数が変更された時分割多重化信号を単位データに変換し受信装置へ送信する変換部と、を備え、受信装置は、送信装置から単位データを受信し周波数が変更された時分割多重化信号を生成する復号部と、自装置の同期部から出力されたクロック信号に基づいて、周波数が変更された時分割多重化信号の周波数を元に戻して時分割多重化信号を復元する周波数復元部と、を備える。
2011074305.tif 000002
【特許請求の範囲】
【請求項１】
一連のデータ列を複数の単位データに分割して伝送する送信装置及び受信装置を備える伝送システムであって、
前記送信装置は、
前記受信装置と同期用単位データを通信することによって前記受信装置と同期したクロック信号を出力する同期部と、
自装置の同期部から出力されたクロック信号に基づいて時分割多重化信号の周波数を変更する周波数変更部と、
周波数が変更された前記時分割多重化信号を前記単位データに変換し前記受信装置へ送信する変換部と、
を備え、
前記受信装置は、
前記送信装置と同期用単位データを通信することによって前記送信装置と同期したクロック信号を出力する同期部と、
前記送信装置から前記単位データを受信し、前記周波数が変更された時分割多重化信号を生成する復号部と、
自装置の同期部から出力されたクロック信号に基づいて、前記周波数が変更された時分割多重化信号の周波数を元に戻して前記時分割多重化信号を復元する周波数復元部と、
を備える伝送システム。
【請求項２】
前記送信装置は、周波数が異なる複数の信号毎に前記周波数変更部及び前記変換部の組を備え、各周波数変更部は共通の前記同期部から出力されたクロック信号に基づいて前記周波数の変更を行い、
前記受信装置は、前記送信装置の前記周波数変更部及び前記変換部の組と同数の前記復号部及び前記周波数復元部の組を備え、各周波数復元部は共通の前記同期部から出力されたクロック信号に基づいて前記時分割多重化信号の復元を行う請求項１に記載の伝送システム。
【請求項３】
一連のデータ列を複数の単位データに分割して受信装置に伝送する送信装置であって、
前記受信装置と同期用単位データを通信することによって前記受信装置と同期したクロック信号を出力する同期部と、
前記同期部から出力されたクロック信号に基づいて時分割多重化信号の周波数を変更する周波数変更部と、
周波数が変更された前記時分割多重化信号を前記単位データに変換し前記受信装置へ送信する変換部と、
を備える送信装置。
【請求項４】
一連のデータ列が複数の単位データに分割されて伝送された信号を受信する受信装置であって、
クロック信号を出力する同期部と、同期部から出力されたクロック信号に基づいて時分割多重化信号の周波数を変更する周波数変更部と、周波数が変更された前記時分割多重化信号を前記単位データに変換し送信する変換部と、を備える送信装置との間で、同期用単位データを通信することによって、前記送信装置と同期したクロック信号を出力する同期部と、
前記送信装置から前記単位データを受信し、前記周波数が変更された時分割多重化信号を生成する復号部と、
自装置の同期部から出力されたクロック信号に基づいて、前記周波数が変更された時分割多重化信号の周波数を元に戻して前記時分割多重化信号を復元する周波数復元部と、
を備える受信装置。
【請求項５】
一連のデータ列を複数の単位データに分割して伝送する送信装置及び受信装置を備える伝送システムが行う伝送方法であって、
前記送信装置が、前記受信装置と同期用単位データを通信することによって前記受信装置と同期したクロック信号を出力する同期ステップと、
前記送信装置が、自装置の同期ステップにおいて出力されたクロック信号に基づいて時分割多重化信号の周波数を変更する周波数変更ステップと、
前記送信装置が、周波数が変更された前記時分割多重化信号を前記単位データに変換し前記受信装置へ送信する変換ステップと、
前記受信装置が、前記送信装置と同期用単位データを通信することによって前記送信装置と同期したクロック信号を出力する同期ステップと、
前記受信装置が、前記送信装置から前記単位データを受信し、前記周波数が変更された時分割多重化信号を生成する復号ステップと、
前記受信装置が、自装置の同期ステップにおいて出力されたクロック信号に基づいて、前記周波数が変更された時分割多重化信号の周波数を元に戻して前記時分割多重化信号を復元する周波数復元ステップと、
を備える伝送方法。
【請求項６】
第１のコンピュータ及び第２のコンピュータを、一連のデータ列を複数の単位データに分割して伝送する送信装置及び受信装置を備える伝送システムとして動作させるためのコンピュータプログラムであって、
前記第１のコンピュータに対し、
前記受信装置と同期用単位データを通信することによって前記受信装置と同期したクロック信号を出力する同期ステップと、
自装置の同期ステップにおいて出力されたクロック信号に基づいて時分割多重化信号の周波数を変更する周波数変更ステップと、
周波数が変更された前記時分割多重化信号を前記単位データに変換し前記受信装置へ送信する変換ステップと、
を実行させ、
前記第２のコンピュータに対し、
前記送信装置と同期用単位データを通信することによって前記送信装置と同期したクロック信号を出力する同期ステップと、
前記送信装置から前記単位データを受信し、前記周波数が変更された時分割多重化信号を生成する復号ステップと、
自装置の同期ステップにおいて出力されたクロック信号に基づいて、前記周波数が変更された時分割多重化信号の周波数を元に戻して前記時分割多重化信号を復元する周波数復元ステップと、
を実行させるためのコンピュータプログラム。
【発明の詳細な説明】
【技術分野】
【０００１】
本発明は、ネットワークを経由して時分割多重化信号を伝送するための技術に関する。
【背景技術】
【０００２】
パケットネットワークを経由してＴＤＭ（Time Division Multiplexing：時分割多重化）信号を伝送する技術が提案されている（例えば特許文献１参照）。従来のこのような技術の例としては、ＲＦＣ４５５３のＳＡＴｏＰ（Structure-Agnostic Time Division Multiplexing over Packet）、ＲＦＣ５０８６のＣＥＳｏＰＳＮ、ＭＥＦ８等がある。これらの技術では、パケットネットワークが非同期であるため、ＴＤＭ信号の周波数成分を復元するためにパケットそのものを利用する必要があった。具体的には、パケット内に時刻情報を入れる方法や、パケットの送信間隔をＴＤＭの周波数に合わせる方法などによって、ＴＤＭ信号の周波数成分の復元を実現していた。【０００３】
図７は、パケットネットワークを経由してＴＤＭ信号を伝送するためのシステム例を示す。図７の例では、送信装置Ｐ１０がパケット変換部Ｐ１１を備え、受信装置Ｐ２０がパケット復号部Ｐ２１、クロック再生部Ｐ２２、ＴＤＭ信号復元部Ｐ２３を備える。送信装置Ｐ１０は、ＴＤＭ信号をパケットに変換し、パケットネットワークＰＮを経由して受信装置Ｐ２０へ送信する。受信装置Ｐ２０がパケットを受信すると、パケット復号部Ｐ２１がパケットを復号する。また、クロック再生部Ｐ２２は、受信されたパケット（ＴＤＭ信号の一部を含むパケット）に基づいてＴＤＭ信号を復元するためのクロックを生成する。そして、ＴＤＭ信号復元部Ｐ２３が、クロック再生部Ｐ２２によって生成されたクロックに基づいてＴＤＭ信号を復元する。
【先行技術文献】
【特許文献】
【０００４】
【特許文献１】特開２００１−１６８８２２号公報
【発明の概要】
【発明が解決しようとする課題】
【０００５】
しかしながら、上記のようにＴＤＭ信号を含むパケットそのものを利用してＴＤＭ信号の周波数成分の復元を実現する技術では、パケットの遅延揺らぎの影響を受け易いという問題があった。すなわち、パケットネットワークのように、一連のデータ列を複数の単位データ（例えばパケット）に分割して伝送するネットワーク（以下、「単位データネットワーク」という。）では、単位データの伝送に遅延の揺らぎが生じるおそれがある。そして、このような遅延の揺らぎが生じてしまうと、送信装置及び受信装置において、この遅延による影響を小さくする必要が生じてしまう。そのため、ＴＤＭ信号毎に高精度のＰＬＬ（Phase Locked Loop）が必要となってしまう。例えば図７の場合は、クロック再生部Ｐ２２において、ＴＤＭ信号毎に高精度のＰＬＬを必要としてしまう。【０００６】
上記事情に鑑み、本発明の一態様は、時分割多重化信号毎に高精度のＰＬＬを備えることなく、単位データネットワークを経由して時分割多重化信号を伝送することを可能とする技術を提供することを目的としている。
【課題を解決するための手段】
【０００７】
本発明の一態様は、一連のデータ列を複数の単位データに分割して伝送する送信装置及び受信装置を備える伝送システムであって、前記送信装置は、前記受信装置と同期用単位データを通信することによって前記受信装置と同期したクロック信号を出力する同期部と、自装置の同期部から出力されたクロック信号に基づいて時分割多重化信号の周波数を変更する周波数変更部と、周波数が変更された前記時分割多重化信号を前記単位データに変換し前記受信装置へ送信する変換部と、を備え、前記受信装置は、前記送信装置と同期用単位データを通信することによって前記送信装置と同期したクロック信号を出力する同期部と、前記送信装置から前記単位データを受信し、前記周波数が変更された時分割多重化信号を生成する復号部と、自装置の同期部から出力されたクロック信号に基づいて、前記周波数が変更された時分割多重化信号の周波数を元に戻して前記時分割多重化信号を復元する周波数復元部と、を備える。【０００８】
本発明の一態様は、一連のデータ列を複数の単位データに分割して受信装置に伝送する送信装置であって、前記受信装置と同期用単位データを通信することによって前記受信装置と同期したクロック信号を出力する同期部と、前記同期部から出力されたクロック信号に基づいて時分割多重化信号の周波数を変更する周波数変更部と、周波数が変更された前記時分割多重化信号を前記単位データに変換し前記受信装置へ送信する変換部と、を備える。【０００９】
本発明の一態様は、一連のデータ列が複数の単位データに分割されて伝送された信号を受信する受信装置であって、クロック信号を出力する同期部と、同期部から出力されたクロック信号に基づいて時分割多重化信号の周波数を変更する周波数変更部と、周波数が変更された前記時分割多重化信号を前記単位データに変換し送信する変換部と、を備える送信装置との間で、同期用単位データを通信することによって、前記送信装置と同期したクロック信号を出力する同期部と、前記送信装置から前記単位データを受信し、前記周波数が変更された時分割多重化信号を生成する復号部と、自装置の同期部から出力されたクロック信号に基づいて、前記周波数が変更された時分割多重化信号の周波数を元に戻して前記時分割多重化信号を復元する周波数復元部と、を備える。【００１０】
本発明の一態様は、一連のデータ列を複数の単位データに分割して伝送する送信装置及び受信装置を備える伝送システムが行う伝送方法であって、前記送信装置が、前記受信装置と同期用単位データを通信することによって前記受信装置と同期したクロック信号を出力する同期ステップと、前記送信装置が、自装置の同期ステップにおいて出力されたクロック信号に基づいて時分割多重化信号の周波数を変更する周波数変更ステップと、前記送信装置が、周波数が変更された前記時分割多重化信号を前記単位データに変換し前記受信装置へ送信する変換ステップと、前記受信装置が、前記送信装置と同期用単位データを通信することによって前記送信装置と同期したクロック信号を出力する同期ステップと、前記受信装置が、前記送信装置から前記単位データを受信し、前記周波数が変更された時分割多重化信号を生成する復号ステップと、前記受信装置が、自装置の同期ステップにおいて出力されたクロック信号に基づいて、前記周波数が変更された時分割多重化信号の周波数を元に戻して前記時分割多重化信号を復元する周波数復元ステップと、を備える。【００１１】
本発明の一態様は、第１のコンピュータ及び第２のコンピュータを、一連のデータ列を複数の単位データに分割して伝送する送信装置及び受信装置を備える伝送システムとして動作させるためのコンピュータプログラムであって、前記第１のコンピュータに対し、前記受信装置と同期用単位データを通信することによって前記受信装置と同期したクロック信号を出力する同期ステップと、自装置の同期ステップにおいて出力されたクロック信号に基づいて時分割多重化信号の周波数を変更する周波数変更ステップと、周波数が変更された前記時分割多重化信号を前記単位データに変換し前記受信装置へ送信する変換ステップと、を実行させ、前記第２のコンピュータに対し、前記送信装置と同期用単位データを通信することによって前記送信装置と同期したクロック信号を出力する同期ステップと、前記送信装置から前記単位データを受信し、前記周波数が変更された時分割多重化信号を生成する復号ステップと、自装置の同期ステップにおいて出力されたクロック信号に基づいて、前記周波数が変更された時分割多重化信号の周波数を元に戻して前記時分割多重化信号を復元する周波数復元ステップと、を実行させるためのものである。
【発明の効果】
【００１２】
本発明の一態様により、時分割多重化信号毎に高精度のＰＬＬを備えることなく、単位データネットワークを経由して時分割多重化信号を伝送することを可能とするが可能となる。
【図面の簡単な説明】
【００１３】
【図１】第１実施形態における伝送システムのシステム構成を表すシステム構成図である。
【図２】パケット変換部の構成の概略を表す図である。
【図３】パケット復号部の構成の概略を表す図である。
【図４】伝送システムにおけるＴＤＭ信号の変遷の概略を表す図である。
【図５】伝送システムの処理の流れを表すシーケンス図である。
【図６】第２実施形態における伝送システムのシステム構成を表すシステム構成図である。
【図７】パケットネットワークを経由してＴＤＭ信号を伝送するためのシステム例を示す。
【発明を実施するための形態】
【００１４】
［第１実施形態］
図１は、第１実施形態における伝送システム１ａのシステム構成を表すシステム構成図である。第１実施形態における伝送システム１ａは、パケットネットワークＰＮを含むシステムであって、送信装置１０ａ及び受信装置２０ａを備える。パケットネットワークＰＮは、単位データとしてパケットを伝送するネットワークである。また、伝送システム１ａは、一連のデータ列から構成されるＴＤＭ（Time Division Multiplexing：時分割多重化）信号を、複数の単位データ（この場合はパケット）に分割して伝送するシステムである。以下、第１実施形態における伝送システム１ａに含まれる各装置について説明する。
【００１５】
送信装置１０ａは、ＴＤＭ信号を伝送するＴＤＭ伝送網とパケットネットワークＰＮとの境界に設置され、ＴＤＭ伝送網からＴＤＭ信号を受信し、パケットネットワークＰＮへパケットを送信する。送信装置１０ａは、バスで接続されたＣＰＵ（Central Processing Unit）やメモリや補助記憶装置などを備え、通信プログラムを実行することによって、同期部１１、スタッフ処理部１２、パケット変換部１３を備える装置として機能する。なお、送信装置１０ａの各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。また、送信装置１０ａは、コンピュータ読み取り可能な記録媒体に記録された通信プログラムを、コンピュータが読み取って実行することによって実現されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００１６】
同期部１１は、パケットネットワークＰＮを介して受信装置２０ａの同期部２１と通信し、周波数の同期をとる。同期部１１と同期部２１とは、同期するために、所定の同期用プロトコルで同期用パケット（同期用単位データ）を通信したり、又は物理回線そのものを同期した周波数で動作させ通信する。所定の同期用プロトコルとは、同期を実現できるプロトコルであればどのようなプロトコルでも良い。同期部１１は、例えば、ＩＥＥＥ  １５８８ｖ２等のプロトコルで通信を行ってもよい。また、同期部１１は、例えばパケットネットワークＰＮの物理回線を用いた同期方法として、ＩＴＵ−Ｔ  Ｇ．８２６１、ＳｙｎｃｈｒｏｎｏｕｓＥｔｈｅｒｎｅｔ（登録商標）等の技術を用いてもよい。同期部１１は、同期部２１との同期が実現されると、同期部２１と同期したクロックをスタッフ処理部１２へ出力する。
【００１７】
スタッフ処理部１２は、自装置（送信装置１０ａ）宛に送信されてきたＴＤＭ信号を受信し、受信されたＴＤＭ信号に対してスタッフ処理を行う。このとき、スタッフ処理部１２は、同期部１１から出力されたクロックに基づいてスタッフ処理を実行する。なお、スタッフ処理とは、送信側と受信側とのクロックの誤差を補償するために、スタッフ（スタッフデータ、スタッフビット、スタッフバイト等）を信号に挿入する処理である。
【００１８】
スタッフ処理部１２は、スタッフ処理の実行によって、スタッフ（Ｓｔａｆｆ）が挿入され周波数が変化したＴＤＭ信号（以下、「Ｓｔａｆｆ−ＴＤＭ信号」という。）を生成する。そして、スタッフ処理部１２は、Ｓｔａｆｆ−ＴＤＭ信号をパケット変換部１３へ送る。このように、スタッフ処理部１２は少なくとも周波数変更部としての機能をもつ。
【００１９】
パケット変換部１３は、Ｓｔａｆｆ−ＴＤＭ信号を、パケットネットワークＰＮに応じたパケットに変換し、パケットネットワークＰＮを経由して受信装置２０ａへ送信する。パケット変換部１３は、例えばＰＷＥ３（Pseudo Wire Emulation Edge to Edge）に基づいて変換を行う。より具体的には、パケット変換部１３は、例えばＳｔａｆｆ−ＴＤＭ信号を所定の長さ毎に分割してカプセル化することによってパケットを生成する。このように、パケット変換部１３は少なくとも変換部としての機能をもつ。
【００２０】
受信装置２０ａは、ＴＤＭ信号を伝送するＴＤＭ伝送網とパケットネットワークＰＮとの境界に設置され、パケットネットワークＰＮからパケットを受信し、ＴＤＭ伝送網へＴＤＭ信号を送信する。受信装置２０ａは、バスで接続されたＣＰＵやメモリや補助記憶装置などを備え、通信プログラムを実行することによって、同期部２１、パケット復号部２２、デスタッフ処理部２３を備える装置として機能する。なお、受信装置２０ａの各機能の全て又は一部は、ＡＳＩＣやＰＬＤやＦＰＧＡ等のハードウェアを用いて実現されても良い。また、受信装置２０ａは、コンピュータ読み取り可能な記録媒体に記録された通信プログラムを、コンピュータが読み取って実行することによって実現されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００２１】
同期部２１は、同期部１１と同様の動作によって、同期部１１と同期したクロックをデスタッフ処理部２３へ出力する。
パケット復号部２２は、自装置（受信装置２０ａ）宛に送信されてきたパケットをパケットネットワークＰＮから受信し、受信されたパケットに対して復号処理を行う。具体的には、パケット復号部２２は、受信されたパケットからＳｔａｆｆ−ＴＤＭ信号を復元（生成）し、デスタッフ処理部２３へ送る。パケット復号部２２は、例えばＰＷＥ３に基づいて復元を行う。このように、パケット復号部２２は少なくとも復号部としての機能をもつ。
【００２２】
デスタッフ処理部２３は、Ｓｔａｆｆ−ＴＤＭ信号に対しデスタッフ処理を実行する。このとき、デスタッフ処理部２３は、同期部２１から出力されたクロックに基づいてデスタッフ処理を実行する。デスタッフ処理部２３は、デスタッフ処理の実行によって、スタッフが抜き出され元の周波数に戻ったＴＤＭ信号を復元（生成）する。そして、デスタッフ処理部２３は、ＴＤＭ信号をＴＤＭ伝送網へ送信する。このように、デスタッフ処理部２３は少なくとも周波数復元部としての機能をもつ。
【００２３】
図２は、パケット変換部１３の構成の概略を表す図である。パケット変換部１３は、バッファ１３１、パケットカプセル化部１３２を備える。バッファ１３１は、連続した一連のデータ列から構成されるＳｔａｆｆ−ＴＤＭ信号を一時的に蓄えるとともに、蓄えたＳｔａｆｆ−ＴＤＭ信号の量をパケットカプセル化部１３２に通知する。パケットカプセル化部１３２は、バッファ１３２に一定の量以上のＳｔａｆｆ−ＴＤＭ信号が蓄えられると、所定の長さのデータ列をバッファ１３１から読み出す。パケットカプセル化部１３２は、読み出されたデータ列をペイロードとして、宛先ＩＰアドレスや送信元ＩＰアドレス等のヘッダ情報を付与し、カプセル化を行うことによってパケットデータを生成する。そして、パケットカプセル化部１３２は、生成されたパケットデータをパケットネットワークＰＮへ送信する。
【００２４】
図３は、パケット復号部２２の構成の概略を表す図である。パケット復号部２２は、パケットデカプセル化部２２１、バッファ２２２を備える。パケットデカプセル化部２２１は、パケットネットワークＰＮからパケットデータを受信する。パケットデカプセル化部２２１は、受信されたパケットデータからヘッダ情報を取り除き、ペイロード部分に納められているデータ列を読み出す。そして、パケットデカプセル化部２２１は、読み出されたデータ列をバッファ２２２へ書き込む。バッファ２２２は、パケットデカプセル化部２２１によって書き込まれたデータ列を、順番を保って一時的に蓄える。そして、バッファ２２２は、一定の量以上のデータ列が蓄えられると、順番を保った連続するデータとして、Ｓｔａｆｆ−ＴＤＭ信号をデスタッフ処理部２３へ送る。
【００２５】
図４は、伝送システム１ａにおけるＴＤＭ信号の変遷の概略を表す図である。まず、ＴＤＭ信号が送信装置１０ａに入力されると、スタッフ処理部１２によってスタッフ処理がなされ、Ｓｔａｆｆ−ＴＤＭ信号が生成される。Ｓｔａｆｆ−ＴＤＭ信号には、周期的にスタッフ３１が挿入されている。次に、パケット変換部１３によってパケット変換処理がなされ、Ｓｔａｆｆ−ＴＤＭ信号から複数のパケットが生成される。具体的には、Ｓｔａｆｆ−ＴＤＭ信号が所定の長さのデータ列に分割され、ヘッダ３２が付与されてパケットが生成される。各パケットはパケットネットワークＰＮを経由して受信装置２０ａへ送信される。
【００２６】
パケットが受信装置２０ａによって受信されると、パケット復号部２２によってパケット復号処理がなされ、複数のパケットから、連続したＳｔａｆｆ−ＴＤＭ信号が復元される。そして、デスタッフ処理部２３によってデスタッフ処理がなされ、各スタッフ３１が取り除かれたＴＤＭ信号が復元される。
【００２７】
図５は、伝送システム１ａの処理の流れを表すシーケンス図である。まず、ＴＤＭ信号の送受信を行う送信装置１０ａ及び受信装置２０ａにおいて、同期部１１と同期部２１とがパケットネットワークＰＮを介して通信を行うことによって同期をとる（ステップＳ１０１及びステップＳ２０１）。同期部１１と同期部２１との間で同期がとれた後、送信装置１０ａのスタッフ処理部１２がＴＤＭ信号に対して同期部１１から出力されるクロックに基づいてスタッフ処理を行い、Ｓｔａｆｆ−ＴＤＭ信号を生成する（ステップＳ１０２）。次に、パケット変換部１３が、Ｓｔａｆｆ−ＴＤＭ信号に対しパケット変換処理を行うことによって複数のパケットを生成する（ステップＳ１０３）。そして、パケット変換部１３が、各パケットを、パケットネットワークＰＮを経由して受信装置２０ａへ送信する。
【００２８】
受信装置２０ａが送信装置１０ａからパケットを受信すると、パケット復号部２２がパケット復号処理を行うことによって、パケットからＳｔａｆｆ−ＴＤＭ信号を復元する（ステップＳ２０２）。次に、デスタッフ処理部２３が、同期部２１から出力されるクロックに基づいてデスタッフ処理を行うことによって、ＴＤＭ信号を復元する（ステップＳ２０３）。以上の処理によって、送信部１０ａに入力されたＴＤＭ信号がパケットネットワークＰＮを経由して受信装置２０ａへ送信され復元される。
【００２９】
このように構成された伝送システム１ａによれば、ＴＤＭ信号は送信装置１０ａ及び受信装置２０ａによるスタッフ処理及びデスタッフ処理によってパケットネットワークＰＮを経由する。そのため、パケットネットワークを経由した先の受信装置２０ａにおいて、もとの周波数成分のままのＴＤＭ信号を復元することが可能となる。言い換えれば、送信側と受信側とで同期したＴＤＭ信号を、パケットネットワークを経由して伝送することが可能となる。
また、同期部２１は、受信装置２０ａに一つあればよく、時分割信号多重信号毎に高精度のＰＬＬを備える必要が無い。
【００３０】
＜変形例＞
上記の説明では、パケットネットワークＰＮを伝送される単位データ（ＰＤＵ：Protocol Data Unit）としてＩＰパケットを例にとったが、パケットネットワークＰＮにおいて伝送される単位データは、上記のようなＩＰパケットに限定される必要はなく、フレームやセルなどどのようなＰＤＵが伝送されても良い。例えば、Ｅｔｈｅｒｎｅｔ（登録商標）フレームヘッダ、ＴＣＰ（Transmission Control Protocol）フレーム、ＵＤＰ（User Datagram Protocol）フレーム、ＭＰＬＳ（Multi-Protocol Label Switching）パケット等であっても良い。その場合、パケット変換部１３及びパケット復号部２２は、それぞれ伝送されるＰＤＵに応じて適宜設計される。
【００３１】
また、図５の処理の流れにおいて、同期部１１及び同期部２１による同期処理（ステップＳ１０１及びＳ２０１）は、その後のスタッフ処理（ステップＳ１０２）及びデスタッフ処理（ステップＳ２０２）の前に少なくとも１度実行されて同期がとられていれば良く、スタッフ処理及びデスタッフ処理が行われる度にその直前に実行される必要はない。例えば、同期部１１及び同期部２１による同期処理は、スタッフ処理及びデスタッフ処理とは異なる周期やタイミングで、スタッフ処理及びデスタッフ処理と並行して実行されても良い。
【００３２】
また、図２に示されるパケット変換部１３の構成は一例に過ぎず、パケット変換部１３が図２とは異なる構成で実装されても良い。例えば、バッファ１３１は、蓄えたＳｔａｆｆ−ＴＤＭ信号の量をパケットカプセル化部１３２に対して通知を行わないように構成されても良い。この場合、例えばパケットカプセル化部１３２が一定の周期でバッファ１３１からデータ列を読み出すように構成されても良い。
【００３３】
また、図３に示されるパケット復号部２２の構成は一例に過ぎず、パケット復号部２２が図３とは異なる構成で実装されても良い。例えば、パケット復号部２２はバッファ２２２を備えないように構成されても良い。この場合、パケットデカプセル化部２２１は、デスタッフ処理部２３に対し、Ｓｔａｆｆ−ＴＤＭ信号を不連続な形で送信しても良い。
【００３４】
［第２実施形態］
図６は、第２実施形態における伝送システム１ｂのシステム構成を表すシステム構成図である。第２実施形態における伝送システム１ｂは、パケットネットワークＰＮを含むシステムであって、送信装置１０ｂ及び受信装置２０ｂを備える。パケットネットワークＰＮは、単位データとしてパケットを伝送するネットワークである。また、伝送システム１ｂは、一連のデータ列から構成される複数のＴＤＭ信号を、それぞれ複数の単位データ（この場合はパケット）に分割して伝送するシステムである。以下、第２実施形態における伝送システム１ｂに含まれる各装置について説明する。
【００３５】
送信装置１０ｂは、ＴＤＭ信号を伝送するＴＤＭ伝送網とパケットネットワークＰＮとの境界に設置され、ＴＤＭ伝送網から複数のＴＤＭ信号（ＴＤＭ信号１、ＴＤＭ信号２）を受信し、それぞれのＴＤＭ信号を含むパケットをパケットネットワークＰＮへ送信する。送信装置１０ｂは、バスで接続されたＣＰＵやメモリや補助記憶装置などを備え、通信プログラムを実行することによって、同期部１１、複数のスタッフ処理部１２（１２−１及び１２−２）、複数のパケット変換部１３（１３−１及び１３−２）を備える装置として機能する。なお、送信装置１０ｂの各機能の全て又は一部は、ＡＳＩＣやＰＬＤやＦＰＧＡ等のハードウェアを用いて実現されても良い。また、送信装置１０ｂは、コンピュータ読み取り可能な記録媒体に記録された通信プログラムを、コンピュータが読み取って実行することによって実現されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、図６に図示された送信装置１０ｂは２つのスタッフ処理部１２を備えるが、送信装置１０ｂが備えるスタッフ処理部１２の数は３以上であっても良い。また、図６に図示された送信装置１０ｂは２つのパケット変換部１３を備えるが、送信装置１０ｂが備えるパケット変換部１３の数は３以上であっても良い。
【００３６】
第２実施形態における同期部１１は、クロックを複数のスタッフ処理部１２（１２−１及び１２−２）に出力する点で第１実施形態における同期部１１と異なり、残る構成は第１実施形態における同期部１１と同様である。
【００３７】
第２実施形態におけるスタッフ処理部１２−１及びスタッフ処理部１２−２の構成は、それぞれ第１実施形態におけるスタッフ処理部１２と同様である。ただし、スタッフ処理部１２−１及びスタッフ処理部１２−２は、それぞれ異なるＴＤＭ信号（ＴＤＭ信号１及びＴＤＭ信号２）を処理の対象とする。ＴＤＭ信号１とＴＤＭ信号２とでは、信号が多重化される周期が異なる。
【００３８】
第２実施形態におけるパケット変換部１３−１及びパケット変換部１３−２の構成は、それぞれ第１実施形態におけるパケット変換部１３と同様である。ただし、パケット変換部１３−１及びパケット変換部１３−２は、それぞれ異なるＳｔａｆｆ−ＴＤＭ信号を処理の対象とする。具体的には、パケット変換部１３−１は、ＴＤＭ信号１にスタッフが挿入されたＳｔａｆｆ−ＴＤＭ信号（すなわちスタッフ処理部１２−１によって生成されたＳｔａｆｆ−ＴＤＭ信号）からパケットを生成する。また、パケット変換部１３−２は、ＴＤＭ信号２にスタッフが挿入されたＳｔａｆｆ−ＴＤＭ信号（すなわちスタッフ処理部１２−２によって生成されたＳｔａｆｆ−ＴＤＭ信号）からパケットを生成する。
【００３９】
受信装置２０ｂは、ＴＤＭ信号を伝送するＴＤＭ伝送網とパケットネットワークＰＮとの境界に設置され、パケットネットワークＰＮからパケットを受信し、ＴＤＭ伝送網へ複数のＴＤＭ信号（ＴＤＭ信号１、ＴＤＭ信号２）を送信する。受信装置２０ｂは、バスで接続されたＣＰＵやメモリや補助記憶装置などを備え、通信プログラムを実行することによって、同期部２１、複数のパケット復号部２２（２２−１及び２２−２）、複数のデスタッフ処理部２３（２３−１及び２３−２）を備える装置として機能する。なお、受信装置２０ｂの各機能の全て又は一部は、ＡＳＩＣやＰＬＤやＦＰＧＡ等のハードウェアを用いて実現されても良い。また、受信装置２０ｂは、コンピュータ読み取り可能な記録媒体に記録された通信プログラムを、コンピュータが読み取って実行することによって実現されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、図６に図示された受信装置２０ｂは２つのデスタッフ処理部２３を備えるが、受信装置２０ｂが備えるデスタッフ処理部２３の数は３以上であっても良い。また、図６に図示された受信装置２０ｂは２つのパケット復号部２２を備えるが、受信装置２０ｂが備えるパケット復号部２２の数は３以上であっても良い。
【００４０】
第２実施形態における同期部２１は、クロックを複数のデスタッフ処理部２３（２３−１及び２３−２）に出力する点で第１実施形態における同期部２１と異なり、残る構成は第１実施形態における同期部２１と同様である。
【００４１】
第２実施形態におけるパケット復号部２２−１及びパケット復号部２２−２の構成は、それぞれ第１実施形態におけるパケット復号部２２と同様である。ただし、パケット復号部２２−１及びパケット復号部２２−２は、それぞれ異なるＳｔａｆｆ−ＴＤＭ信号を復元する。具体的には、パケット復号部２２−１は、パケット変換部１３−１から送信されたパケットに基づいて、ＴＤＭ信号１にスタッフが挿入されたＳｔａｆｆ−ＴＤＭ信号を復元する。また、パケット復号部２２−２は、パケット変換部１３−２から送信されたパケットに基づいて、ＴＤＭ信号２にスタッフが挿入されたＳｔａｆｆ−ＴＤＭ信号を復元する。
【００４２】
デスタッフ処理部２３−１及びデスタッフ処理部２３−２の構成は、それぞれ第１実施形態におけるデスタッフ処理部２３と同様である。ただし、デスタッフ処理部２３−１及びデスタッフ処理部２３−２は、それぞれ異なるＴＤＭ信号（ＴＤＭ信号１及びＴＤＭ信号２）を復元する。すなわち、デスタッフ処理部２３−１は、パケット復号部２２−１によって復元されたＳｔａｆｆ−ＴＤＭ信号を用いてＴＤＭ信号１を復元し、デスタッフ処理部２３−２は、パケット復号部２２−２によって復元されたＳｔａｆｆ−ＴＤＭ信号を用いてＴＤＭ信号２を復元する。
【００４３】
このように構成された伝送システム１ｂによれば、パケットネットワークＰＮを経由して周波数が異なる複数のＴＤＭ信号を伝送する場合に、各ＴＤＭ信号に共通の同期部１１及び同期部２１の組によって同期をとることが可能となる。すなわち、一組の同期部１１及び同期部２１によって、周波数が異なる複数のＴＤＭ信号の伝送を実現できる。そのため、ＴＤＭ信号の数だけ同期部１１及び同期部２１の組を備える必要が無い。また、ＴＤＭ信号の数だけＰＬＬを備える必要もない。
【００４４】
以上、この発明の実施形態について図面を参照して詳述してきたが、具体的な構成はこの実施形態に限られるものではなく、この発明の要旨を逸脱しない範囲の設計等も含まれる。
【００４５】
本願は、２００９年１２月１８日に、日本に出願された特願２００９−２８７８０６号に基づき優先権を主張し、その内容をここに援用する。
【産業上の利用可能性】
【００４６】
本発明の一態様により、時分割多重化信号毎に高精度のＰＬＬを備えることなく、単位データネットワークを経由して時分割多重化信号を伝送することが可能となる。
【符号の説明】
【００４７】
１ａ、１ｂ…伝送システム
１０ａ、１０ｂ…送信装置
２０ａ、２０ｂ…受信装置
１１…同期部
１２…スタッフ処理部（周波数変更部）
１３…パケット変換部（変換部）
２１…同期部
２２…パケット復号部（復号部）
２３…デスタッフ処理部（周波数復元部）
１３１…バッファ
１３２…パケットカプセル化部
２２１…パケットデカプセル化部
２２２…バッファ
３１…スタッフ
３２…ヘッダ
【図１】
2011074305.tif 000003
【図２】
2011074305.tif 000004
【図３】
2011074305.tif 000005
【図４】
2011074305.tif 000006
【図５】
2011074305.tif 000007
【図６】
2011074305.tif 000008
【図７】
2011074305.tif 000009
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
一連のデータ列を複数の単位データに分割して伝送する送信装置及び受信装置を備える伝送システムであって、
前記送信装置は、
前記受信装置と同期用単位データを通信することによって前記受信装置と同期したクロック信号を出力する同期部と、
自装置の同期部から出力されたクロック信号に基づいて時分割多重化信号の周波数を変更する周波数変更部と、
周波数が変更された前記時分割多重化信号を前記単位データに変換し前記受信装置へ送信する変換部と、
を備え、
前記受信装置は、
前記送信装置と同期用単位データを通信することによって前記送信装置と同期したクロック信号を出力する同期部と、
前記送信装置から前記単位データを受信し、前記周波数が変更された時分割多重化信号を生成する復号部と、
自装置の同期部から出力されたクロック信号に基づいて、前記周波数が変更された時分割多重化信号の周波数を元に戻して前記時分割多重化信号を復元する周波数復元部と、
を備え、
前記送信装置は、周波数が異なる複数の信号毎に前記周波数変更部及び前記変換部の組を備え、各周波数変更部は共通の前記同期部から出力されたクロック信号に基づいて前記周波数の変更を行い、
前記受信装置は、前記送信装置の前記周波数変更部及び前記変換部の組と同数の前記復号部及び前記周波数復元部の組を備え、各周波数復元部は共通の前記同期部から出力されたクロック信号に基づいて前記時分割多重化信号の復元を行う伝送システム。
【請求項２】
一連のデータ列を複数の単位データに分割して受信装置に伝送する送信装置であって、
前記受信装置と同期用単位データを通信することによって前記受信装置と同期したクロック信号を出力する同期部と、
前記同期部から出力されたクロック信号に基づいて時分割多重化信号の周波数を変更する周波数変更部と、
周波数が変更された前記時分割多重化信号を前記単位データに変換し前記受信装置へ送信する変換部と、
を備え、
周波数が異なる複数の信号毎に前記周波数変更部及び前記変換部の組を備え、
各周波数変更部は共通の前記同期部から出力されたクロック信号に基づいて前記周波数の変更を行う送信装置。
【請求項３】
一連のデータ列が複数の単位データに分割されて伝送された信号を受信する受信装置であって、
クロック信号を出力する同期部と、同期部から出力されたクロック信号に基づいて時分割多重化信号の周波数を変更する周波数変更部と、周波数が変更された前記時分割多重化信号を前記単位データに変換し送信する変換部と、を備え、周波数が異なる複数の信号毎に前記周波数変更部及び前記変換部の組を備え、各周波数変更部は共通の前記同期部から出力されたクロック信号に基づいて前記周波数の変更を行う送信装置との間で、同期用単位データを通信することによって、前記送信装置と同期したクロック信号を出力する同期部と、
前記送信装置から前記単位データを受信し、前記周波数が変更された時分割多重化信号を生成する復号部と、
自装置の同期部から出力されたクロック信号に基づいて、前記周波数が変更された時分割多重化信号の周波数を元に戻して前記時分割多重化信号を復元する周波数復元部と、
を備え、
前記送信装置の前記周波数変更部及び前記変換部の組と同数の前記復号部及び前記周波数復元部の組を備え、
各周波数復元部は共通の前記同期部から出力されたクロック信号に基づいて前記時分割多重化信号の復元を行う受信装置。
【請求項４】
一連のデータ列を複数の単位データに分割して伝送し、周波数が異なる複数の信号毎に周波数変更部及び変換部の組を備える送信装置と、前記周波数変更部及び前記変換部の組と同数の復号部及び周波数復元部の組を備える受信装置と、を備える伝送システムが行う伝送方法であって、
前記送信装置の送信側同期部が、前記受信装置と同期用単位データを通信することによって前記受信装置と同期したクロック信号を出力する同期ステップと、
前記送信装置の各周波数変更部が、共通の前記送信側同期部から出力されたクロック信号に基づいて、時分割多重化信号の周波数を変更する周波数変更ステップと、
前記送信装置の各変換部が、周波数が変更された前記時分割多重化信号を前記単位データに変換し前記受信装置へ送信する変換ステップと、
前記受信装置の受信側同期部が、前記送信装置と同期用単位データを通信することによって前記送信装置と同期したクロック信号を出力する同期ステップと、
前記受信装置の各復号部が、前記送信装置から前記単位データを受信し、前記周波数が変更された時分割多重化信号を生成する復号ステップと、
前記受信装置の各周波数復元部が、共通の前記受信側同期部から出力されたクロック信号に基づいて、前記周波数が変更された時分割多重化信号の周波数を元に戻して前記時分割多重化信号の復元を行う周波数復元ステップと、
を備える伝送方法。
【請求項５】
第１のコンピュータ及び第２のコンピュータを、一連のデータ列を複数の単位データに分割して伝送し、周波数が異なる複数の信号毎に周波数変更部及び変換部の組を備える送信装置と、前記周波数変更部及び前記変換部の組と同数の復号部及び周波数復元部の組を備える受信装置と、を備える伝送システムとして動作させるためのコンピュータプログラムであって、
前記第１のコンピュータに対し、
送信側同期部が、前記受信装置と同期用単位データを通信することによって前記受信装置と同期したクロック信号を出力する同期ステップと、
各周波数変更部が、共通の前記送信側同期部から出力されたクロック信号に基づいて、時分割多重化信号の周波数を変更する周波数変更ステップと、
各変換部が、周波数が変更された前記時分割多重化信号を前記単位データに変換し前記受信装置へ送信する変換ステップと、
を実行させ、
前記第２のコンピュータに対し、
受信側同期部が、前記送信装置と同期用単位データを通信することによって前記送信装置と同期したクロック信号を出力する同期ステップと、
各復号部が、前記送信装置から前記単位データを受信し、前記周波数が変更された時分割多重化信号を生成する復号ステップと、
各周波数復元部が、共通の前記受信側同期部から出力されたクロック信号に基づいて、前記周波数が変更された時分割多重化信号の周波数を元に戻して前記時分割多重化信号の復元を行う周波数復元ステップと、
を実行させるためのコンピュータプログラム。
【手続補正２】
【補正対象書類名】明細書
【補正対象項目名】０００７
【補正方法】変更
【補正の内容】
【０００７】
本発明の一態様は、一連のデータ列を複数の単位データに分割して伝送する送信装置及び受信装置を備える伝送システムであって、前記送信装置は、前記受信装置と同期用単位データを通信することによって前記受信装置と同期したクロック信号を出力する同期部と、自装置の同期部から出力されたクロック信号に基づいて時分割多重化信号の周波数を変更する周波数変更部と、周波数が変更された前記時分割多重化信号を前記単位データに変換し前記受信装置へ送信する変換部と、を備え、前記受信装置は、前記送信装置と同期用単位データを通信することによって前記送信装置と同期したクロック信号を出力する同期部と、前記送信装置から前記単位データを受信し、前記周波数が変更された時分割多重化信号を生成する復号部と、自装置の同期部から出力されたクロック信号に基づいて、前記周波数が変更された時分割多重化信号の周波数を元に戻して前記時分割多重化信号を復元する周波数復元部と、を備え、前記送信装置は、周波数が異なる複数の信号毎に前記周波数変更部及び前記変換部の組を備え、各周波数変更部は共通の前記同期部から出力されたクロック信号に基づいて前記周波数の変更を行い、前記受信装置は、前記送信装置の前記周波数変更部及び前記変換部の組と同数の前記復号部及び前記周波数復元部の組を備え、各周波数復元部は共通の前記同期部から出力されたクロック信号に基づいて前記時分割多重化信号の復元を行う。
【手続補正３】
【補正対象書類名】明細書
【補正対象項目名】０００８
【補正方法】変更
【補正の内容】
【０００８】
本発明の一態様は、一連のデータ列を複数の単位データに分割して受信装置に伝送する送信装置であって、前記受信装置と同期用単位データを通信することによって前記受信装置と同期したクロック信号を出力する同期部と、前記同期部から出力されたクロック信号に基づいて時分割多重化信号の周波数を変更する周波数変更部と、周波数が変更された前記時分割多重化信号を前記単位データに変換し前記受信装置へ送信する変換部と、を備え、周波数が異なる複数の信号毎に前記周波数変更部及び前記変換部の組を備え、各周波数変更部は共通の前記同期部から出力されたクロック信号に基づいて前記周波数の変更を行う。
【手続補正４】
【補正対象書類名】明細書
【補正対象項目名】０００９
【補正方法】変更
【補正の内容】
【０００９】
本発明の一態様は、一連のデータ列が複数の単位データに分割されて伝送された信号を受信する受信装置であって、クロック信号を出力する同期部と、同期部から出力されたクロック信号に基づいて時分割多重化信号の周波数を変更する周波数変更部と、周波数が変更された前記時分割多重化信号を前記単位データに変換し送信する変換部と、を備え、周波数が異なる複数の信号毎に前記周波数変更部及び前記変換部の組を備え、各周波数変更部は共通の前記同期部から出力されたクロック信号に基づいて前記周波数の変更を行う送信装置との間で、同期用単位データを通信することによって、前記送信装置と同期したクロック信号を出力する同期部と、前記送信装置から前記単位データを受信し、前記周波数が変更された時分割多重化信号を生成する復号部と、自装置の同期部から出力されたクロック信号に基づいて、前記周波数が変更された時分割多重化信号の周波数を元に戻して前記時分割多重化信号を復元する周波数復元部と、を備え、前記送信装置の前記周波数変更部及び前記変換部の組と同数の前記復号部及び前記周波数復元部の組を備え、各周波数復元部は共通の前記同期部から出力されたクロック信号に基づいて前記時分割多重化信号の復元を行う。
【手続補正５】
【補正対象書類名】明細書
【補正対象項目名】００１０
【補正方法】変更
【補正の内容】
【００１０】
本発明の一態様は、一連のデータ列を複数の単位データに分割して伝送し、周波数が異なる複数の信号毎に周波数変更部及び変換部の組を備える送信装置と、前記周波数変更部及び前記変換部の組と同数の復号部及び周波数復元部の組を備える受信装置と、を備える伝送システムが行う伝送方法であって、前記送信装置の送信側同期部が、前記受信装置と同期用単位データを通信することによって前記受信装置と同期したクロック信号を出力する同期ステップと、前記送信装置の各周波数変更部が、共通の前記送信側同期部から出力されたクロック信号に基づいて、時分割多重化信号の周波数を変更する周波数変更ステップと、前記送信装置の各変換部が、周波数が変更された前記時分割多重化信号を前記単位データに変換し前記受信装置へ送信する変換ステップと、前記受信装置の受信側同期部が、前記送信装置と同期用単位データを通信することによって前記送信装置と同期したクロック信号を出力する同期ステップと、前記受信装置の各復号部が、前記送信装置から前記単位データを受信し、前記周波数が変更された時分割多重化信号を生成する復号ステップと、前記受信装置の各周波数復元部が、共通の前記受信側同期部から出力されたクロック信号に基づいて、前記周波数が変更された時分割多重化信号の周波数を元に戻して前記時分割多重化信号の復元を行う周波数復元ステップと、を備える。
【手続補正６】
【補正対象書類名】明細書
【補正対象項目名】００１１
【補正方法】変更
【補正の内容】
【００１１】
本発明の一態様は、第１のコンピュータ及び第２のコンピュータを、一連のデータ列を複数の単位データに分割して伝送し、周波数が異なる複数の信号毎に周波数変更部及び変換部の組を備える送信装置と、前記周波数変更部及び前記変換部の組と同数の復号部及び周波数復元部の組を備える受信装置と、を備える伝送システムとして動作させるためのコンピュータプログラムであって、前記第１のコンピュータに対し、送信側同期部が、前記受信装置と同期用単位データを通信することによって前記受信装置と同期したクロック信号を出力する同期ステップと、各周波数変更部が、共通の前記送信側同期部から出力されたクロック信号に基づいて、時分割多重化信号の周波数を変更する周波数変更ステップと、各変換部が、周波数が変更された前記時分割多重化信号を前記単位データに変換し前記受信装置へ送信する変換ステップと、を実行させ、前記第２のコンピュータに対し、受信側同期部が、前記送信装置と同期用単位データを通信することによって前記送信装置と同期したクロック信号を出力する同期ステップと、各復号部が、前記送信装置から前記単位データを受信し、前記周波数が変更された時分割多重化信号を生成する復号ステップと、各周波数復元部が、共通の前記受信側同期部から出力されたクロック信号に基づいて、前記周波数が変更された時分割多重化信号の周波数を元に戻して前記時分割多重化信号の復元を行う周波数復元ステップと、を実行させるためのものである。
【国際調査報告】
2011074305.tif 000010
2011074305.tif 000011
2011074305.tif 000012